(57)【特許請求の範囲】
【請求項１】
上面より上方付勢状態で押し込み可能にステム５を突出した一対のエアゾール容器体２と、並列した各エアゾール容器体２の外周上端部相互に下端部を掛け渡して嵌着固定した固定筒３と、該固定筒３及び各エアゾール容器体２に嵌着した櫛型吐出具４とを備え、櫛型吐出具４は、各ステム５に各々嵌合した一対の連結筒12の上端を底板13にそれぞれ開口するとともに、底板13周縁部に周壁14を延設してなる連結筒部材９と、前部を固定筒３前部に着脱自在に枢着させるとともに、基板18裏面より垂設した嵌合筒19を周壁14外周に嵌合させて周壁14内に混合室Ａを形成し、且つ、混合室Ａ内と下端を連通した支持筒23を基板18上方へ立設して押し下げ可能に設けた基部材10と、支持筒23に下端部を密嵌させた吐出筒29に櫛歯30を突設するとともに、櫛歯30突設部分に吐出口31を設け、且つ、基部材10に対して着脱可能に嵌合した上部材11とからなり、連結筒部材９の前部下端縁と、基部材10の基板18前縁より垂設した前壁20下端縁とを連結片16で一体に連結したことを特徴とする液体吐出器。
【請求項２】
上記櫛型吐出具４の枢着が、固定筒３前部上端に形成した切欠窓７の両側面前端部に凹設し且つ前方が広いテーパ状の導入用凹部8a及び該導入用凹部8aと連続した円形状の回動用凹部8bとからなる枢着凹部８に、基板18前縁より垂設した前壁20両側に突設するとともに、両側に欠損部21a を有する上下が円弧面をなす回動軸21を嵌合させた枢着である請求項１記載の液体吐出器。
【請求項３】
上記吐出筒29の下部より後方へ、前部を側面視Ｕ字状の弾性陥没部41に形成した板状の押下レバー33を突設するとともに、支持筒23後方に立設した係止筒26内に挿入した陥没部41後面を係止筒26内面に係合させ、且つ、前方押し込みにより係合が解除する如く構成してなる請求項１記載の液体吐出器。
【請求項４】
上記基板18後端部に切欠窓部35を設けるとともに、固定筒３の後部上端に嵌合凹部36を凹設し、該嵌合凹部36下側面に下面を当接した係合板部37上端縁より前方へ押圧板部38を延設した押下レバー33a を、両側のねじれ弾性変形が可能な棒状連結片39を介して切欠窓部35両側面に一体に連結してなる請求項１記載の液体吐出器。
【発明の詳細な説明】
【０００１】
【発明の属する技術分野】
本発明は液体吐出器に関し、詳しくは、２種類の液を混合して吐出できるとともに、櫛型吐出具を備えた液体吐出器に関する。
【０００２】
【従来の技術】
液体吐出器として、上面より上方付勢状態で押し下げ可能にステムを突出し、該ステムの押し込みにより内蔵吐出弁が開き、ガス圧で液を吐出する如く構成したエアゾール容器体と、ステムに嵌着した吐出具とからなるものが知られている。上記吐出具は前面に吐出孔を有し、ステム先端に嵌着して液を前方へ吐出する如く構成したものが一般的であるが、櫛歯を備えた櫛型吐出具も知られている。これらは、例えば、ステムに嵌着した長寸の注出筒の前面に櫛歯を突設し、櫛歯基端部の注出筒に吐出孔をあけて構成したものである。
【０００３】
これら櫛型吐出具を備えた吐出器は主として頭髪用の化粧品等に使用されるが、これら化粧品の中に、例えば毛染の様に使用時に二液を混合して使用するものがあり、また、一般的にこれらの混合液は粘度が高い。これら混合液を吐出具を介して吐出した後、液の一部が吐出具内に付着残留してしまい再度の使用の際に円滑な吐出が行えないという不都合を生じる虞がある。
【０００４】
従来のこの種吐出器の櫛型吐出具は取り外しを考慮していないため洗浄しようにも取り外しが面倒で、無理やり行って破損する虞もある。また、無事取り外した場合も混合液の流通路は内部にあるため充分な洗浄が行えないという不都合がある。
【０００５】
【発明が解決しようとする課題】
本発明は、櫛型吐出具を取り外し、分解して容易に洗浄することができるとともに、その際の容器体からの着脱が容易で、しかも使用時には外れる等の虞がない優れた液体吐出器を提案するものである。また、取り外し後の分解が極めて容易な液体吐出器を提案するものである。更に、常時は不用意な液の漏出を防止でき、液吐出時には簡単な操作で混合液を良いに吐出することができる液体吐出器を提案するものである。
【０００６】
【課題を解決するための手段】
第１の手段として、以下の通り構成した。即ち、上面より上方付勢状態で押し込み可能にステム５を突出した一対のエアゾール容器体２と、並列した各エアゾール容器体２の外周上端部相互に下端部を掛け渡して嵌着固定した固定筒３と、該固定筒３及び各エアゾール容器体２に嵌着した櫛型吐出具４とを備え、櫛型吐出具４は、各ステム５に各々嵌合した一対の連結筒12の上端を底板13にそれぞれ開口するとともに、底板13周縁部に周壁14を延設してなる連結筒部材９と、前部を固定筒３前部に着脱自在に枢着させるとともに、基板18裏面より垂設した嵌合筒19を周壁14外周に嵌合させて周壁14内に混合室Ａを形成し、且つ、混合室Ａ内と下端を連通した支持筒23を基板18上方へ立設して押し下げ可能に設けた基部材10と、支持筒23に下端部を密嵌させた吐出筒29に櫛歯30を突設するとともに、櫛歯30突設部分に吐出口31を設け、且つ、基部材10に対して着脱可能に嵌合した上部材11とからなり、連結筒部材９の前部下端縁と、基部材10の基板18前縁より垂設した前壁20下端縁とを連結片16で一体に連結した。
【０００７】
第２の手段として、以下の通り構成した。即ち、前記第１の手段に於いて、上記櫛型吐出具４の枢着が、固定筒３前部上端に形成した切欠窓７の両側面前端部に凹設し且つ前方が広いテーパ状の導入用凹部8a及び該凹部と連続した円形状の回動用凹部8bとからなる枢着凹部８に、基板18前縁より垂設した前壁20両側に突設するとともに、両側に欠損部21a を有する上下が円弧面をなす回動軸21を嵌合させた枢着である如く構成した。
【０００８】
第３の手段として、以下の通り構成した。即ち、前記第１の手段に於いて、上記吐出筒29の下部より後方へ、前部を側面視Ｕ字状の弾性陥没部41に形成した板状の押下レバー33を突設するとともに、支持筒23後方に立設した係止筒26内に挿入した陥没部41後面を係止筒内面に係合させ、且つ、前方押し込みにより係合が解除する如く構成した。
【０００９】
第４の手段として、以下の通り構成した。即ち、前記第１の手段に於いて、上記基板18後端部に切欠窓部35を設けるとともに、固定筒３の後部上端に嵌合凹部36を凹設し、該嵌合凹部36下側面に下面を当接した係合板部37上端縁より前方へ押圧板部38を延設した押下レバー33a を、両側のねじれ弾性変形が可能な棒状連結片39を介して切欠窓部35両側面に一体に連結した。
【００１０】
【発明の実施の形態】
以下、本発明の実施例の形態を図面を参照して説明する。
【００１１】
図面は本発明の一実施例を示し、図中１はエアゾール容器を示す。、該容器１は、一対のエアゾール容器体２と、固定筒３と、櫛型吐出具４とを備えている。
【００１２】
エアゾール容器体２は、上面より上方付勢状態で押し込み可能にステム５を突出し、該ステム５を押し下げることにより内蔵吐出弁（図示せず）が開弁してガス圧で液を吐出する如く構成した公知の吐出機構を備えたものである。図示例では、筒状の胴部６上端部を小径部6aに構成しており、該小径部6aに固定筒３を嵌着している。
【００１３】
固定筒３は、合成樹脂等により形成されたもので、並列した各エアゾール容器体２の外周上端部相互に下端部を掛け渡して嵌着固定している。本実施例では、横長楕円筒状をなし、下部を各エアゾール容器体２の小径部6aの外側半部に嵌合させて装着しており、前部中央の上端部には正面視横長矩形状の切欠窓７を凹設し、この切欠窓７の両側面前端部にそれぞれ枢着凹部８を凹設している。各枢着凹部８は、前方が広いテーパ状の導入用凹部8aと、該凹部と連続した円形状の回動用凹部8bとから構成している。また、後部中央の上端部にも正面視横長矩形状の切欠窓7aを凹設し、その下面を階段状に構成している。
【００１４】
櫛型吐出具４も同様に合成樹脂等により形成されたもので、連結筒部材９と、基部材10と、上部材11とから構成している。また、連結筒部材９及び上部材11を基部材10に着脱可能に嵌合する如く構成して、分解して容易に洗浄できる如く構成している。
【００１５】
連結筒部材９は、各ステム５に各々嵌合した一対の連結筒12の上端を底板13にそれぞれ開口するとともに、底板13周縁部に周壁14を延設している。本実施例では、前部中央より半円状の膨出部14a を突設した横長楕円筒状の周壁14を有し、周壁下端縁より外方へフランジ15を突設し、また、周壁14内の上下方向中間部に底板13を横設し、底板13両側部分に上端を開口して連結筒12をそれぞれ下方へ垂設している。また、本実施例では、その前部下端縁と、基部材10の後述する前壁下端縁とを帯状の連結片16で一体に連結し、図２の２点鎖線で示す如く、成形時には基部材10の前方に反転した状態で連結筒部材９を形成し、使用時に反転させて基部材10に嵌合する如く構成している。尚、図中17は薄肉ヒンジを示す。
【００１６】
基部材は、基板18裏面より垂設した嵌合筒19を連結筒部材９の周壁14外周に嵌合させて周壁14内に混合室Ａを画成している。図示例では、連結筒部材９の周壁14と同様に、前部中央に半円形の膨出部を突設した横長楕円筒状をなす嵌合筒19を基板18下面中央部より垂設し、その下面が連結筒部材９のフランジ15上面に当接する如く周壁14外周に密嵌させている。
【００１７】
また、基部材10は前部を固定筒３前部に着脱可能に枢着している。図示例では、基板18前縁より垂設した前壁20両側に突設し、且つ、両側に欠損部21a を有する上下が円弧面の回動軸21を上記枢着凹部８に着脱可能に枢着させている。この様な枢着凹部８及び回動軸21の存在で、櫛型吐出具４を装着する際に、欠損部21a が上下に位置する状態で各回動軸21を各枢着凹部８にそれぞれ前方から挿入し、次いで、各回動軸21が各回動用凹部8b内に嵌合した後基板18を後方に倒して各回動軸21を回動させれば、容易に装着することができる。また、基板18の後縁より後壁22を垂設し、該後壁22下端縁が後部の切欠窓7a下面の下段に当接する位置までの押し下げが可能に構成している。
【００１８】
また、基板18の上面前部からは混合室Ａ内と下端を連通した支持筒23を基板18前部上方に立設している。本実施例では、支持筒23内に区画壁24を縦設して注出路を後部に限定し、また、支持筒23外周に二重筒状に短長の外筒25を立設している。更に、支持筒23の後方に係止筒26を立設している。この係止筒26は、前部を外筒25後部と共有し、両側壁及び後壁を箱型に形成した異形筒状をなし、後壁内面前部に係止突起27を突設している。また、この係止筒26部分の基板18には窓孔28を穿設している。
【００１９】
上部材11も合成樹脂等により形成するとともに、基部材10に対して着脱可能に構成したもので、支持筒23に下端部を密嵌させた吐出筒29に櫛歯30を突設するとともに、櫛歯30突設部分に吐出口31を設けている。図示例では、外筒25と支持筒23との間に吐出筒29の下端部を密嵌させて装着するとともに、吐出筒29の前面上部に幅広の板部32を延設し、該板部中央に吐出筒29と連通する縦長の吐出口31を穿設し、該吐出口31周囲の多数の櫛歯30を突設して構成している。
【００２０】
また、本実施例では、吐出筒29の下部より後方へ、前部を側面視Ｕ字状の弾性陥没部41に形成した板状の押下レバー33を突設している。この押下レバー33は、陥没部41を係止筒26内に挿入し、その後面に突設した係合突起34を、前記係止突起27下面に係合させて上方への抜け出しを防止しており、後端部を前方を押し込むことにより係合が解除して上部材11を上方へ外せる如く構成している。図示例では、後端縁部を下方へ垂下させて押し込み易く構成するとともに、後部を幅広に形成して押し下げ易く構成している。そして、後部上面を押し下げることにより各ステム５を押し下げて液を吐出することができる如く構成している。
【００２１】
上記の如く構成した容器を使用する場合に付いて説明すると、先ず、図１の状態から押下レバー33を押し下げれば各ステム５が押し下げられ、各ステム５上端から混合室Ａ内へ二液が導入されて混合される。次いで、混合液が支持筒23内を介して吐出筒29を通り吐出口31より吐出される。その際同時に櫛により頭髪を梳かすことが可能である。
【００２２】
使用後は櫛型吐出具４を９０°前方へ回動したのち前方へ引けば簡単に外すことができ、次いで上部材11及び連結筒部材９を基部材10から外して洗浄することができる。
【００２３】
図４及び図５は本発明の他の実施例を示すもので、図１の実施例に於いて、係止筒26及び押下レバー33の存在がなく、基板18後端部に切欠窓部35を設けるとともに、固定筒３の後部外面上端に嵌合凹部36を凹設し、該凹部下側面に下面を当接した係合板部37上端縁より前方へ押圧板部38を延設した押下レバー33a を設けている。この押下レバー33a は、両側をねじれ弾性変形が可能な棒状連結片39を介して切欠窓部35両側面に一体に連結している。従って、常時はこの押下レバー33a の存在で櫛型吐出具４の押し下げを防止しており、使用時には押圧板部38上面を下方へ押し込むことにより係合板部37が回動して外れ、同時に各ステム５の押し込みを行うことが出来、また、押圧板部38の押圧を解除すれば各棒状連結片39の弾性復元力により元の係止状態に戻る如く構成している。また、本実施例では図１の実施例に於ける外筒25がなく、支持筒23内に吐出筒29の下端を密嵌し、支持筒23内に突設したシール筒40を吐出筒29内面に密嵌している。その他は図１の実施例と同様である。
【００２４】
【発明の効果】
以上説明した如く、第１の手段の液体吐出器は、既述構成としたことにより、櫛型吐出具をエアゾール容器体から取り外すことができるため、しかも、櫛型吐出具は、連結筒部材，基部材，上部材の三部材に分解することができるため容易に洗浄でき、内部の細い液流路を充分に洗浄でき、液の付着等を簡単に落とすとこができるものである。
【００２５】
また、第２の手段の液体吐出器は、欠損部が上下にある位置で回動軸を枢着凹部に挿入或いは引き出しすれば簡単に着脱することができ、また、使用時には、欠損部が左右にある状態で回動用凹部内に嵌合されているため、外れる等の虞もない。
【００２６】
また、第３の手段の液体吐出器は、押下レバーの存在で基部材から上部材を取り外す際に極めて容易に行える利点を兼ね備える。
【００２７】
また、第４の手段の液体吐出器は、押下レバーの存在で常時は櫛型吐出具の押し下げを防止して不用意な液の漏出を防止でき、また、使用時には押圧板部を押すという簡単な操作で液の吐出ができ、極めて使い勝手が良い利点を兼ね備えている。
【図面の簡単な説明】
【図１】本発明の一実施例を示す要部縦断面図である。
【図２】同実施例の分解斜視図である。
【図３】同実施例の櫛型吐出具の作用を説明する要部拡大断面図である。
【図４】本発明の他の実施例を示す要部縦断面図である。
【図５】同実施例の分解斜視図である。
【符号の説明】
２…エアゾール容器体，３…固定筒，４…櫛型吐出具，５…ステム，
７，7a…切欠窓，８…枢着凹部，8a…導入用凹部，8b…回動用凹部，
９…連結筒部材，10…基部材，11…上部材，12…連結筒，13…底板，
14…周壁，18…基板，21…回動軸，21a …欠損部，23…支持筒，
26…係止筒，29…吐出筒，30…櫛歯，31…吐出口，33，33a …押下レバー，
37…係合板部，38…押圧板部，39…棒状連結片，Ａ…混合室
【図１】
0003961203.tif 000002
【図２】
0003961203.tif 000003
【図３】
0003961203.tif 000004
【図４】
0003961203.tif 000005
【図５】
0003961203.tif 000006